【事件の表示】
　平成１１年特許願第１５４１６６号「画像処理装置、画像処理方法および画像処理プログラムを記録した記録媒体」拒絶査定不服審判事件〔平成１２年１２月１５日出願公開、特開２０００−３５００３１〕について、次のとおり審決する。
【結　論】
　本件審判の請求は、成り立たない。
【理　由】
１．手続きの経緯
　本願は、平成１１年６月１日に出願されたものであって、平成１６年５月１８日付けで拒絶査定がされ、これに対して平成１６年６月２４日に拒絶査定不服審判が請求されると共に同年７月２６日に手続補正がなされたものである。
　
２．平成１６年７月２６日付けの手続補正についての補正却下の決定
［補正却下の決定の結論］
　平成１６年７月２６日付けの手続補正を却下する。
［理由］
（１）補正後の本願発明
　平成１６年７月２６日付けの手続補正により、特許請求の範囲の請求項１は、
　「【請求項１】デジタル画像の低周波成分および中周波・高周波成分を、デジタル画像の各画素ごとに生成する主要成分生成手段と、
　上記中周波・高周波成分を変調する変調手段と、
　変調された中周波・高周波成分と上記元の低周波成分とを合成する合成手段とを備えた画像処理装置であって、
　上記中周波・高周波成分の最適コントラストまたは最適彩度に対応する変調強度を計算する強度計算手段を備え、上記変調手段は、上記変調強度で上記中周波・高周波成分を強調または弱調するように変調することを特徴とする画像処理装置。」
と補正された。
　
　前記補正は、補正前の請求項１に記載した発明を特定するために必要な事項を限定するための補正であり、特許法第１７条の２第４項第２号の特許請求範囲の減縮を目的とするものに該当する。
　そこで、本件補正後の前記請求項１に記載された発明（以下、「本願補正発明」という。）が特許出願の際独立して特許を受けることができるものであるか、すなわち特許法第１７条の２第５項において準用する同法第１２６条第５項の規定に適合するかどうかについて以下に検討する。
　　
（２）引用刊行物
　原審が拒絶の理由に引用した特開平９−２２４６０号公報（平成９年１月２１日出願公開。以下、「引用例１」という。）には、図面と共に次の各記載がある。
　
（ア）「【特許請求の範囲】
【請求項１】　所定の画像を表す画像信号に対して処理を施す画像処理方法において、
前記
画像信号を低周波数成分、中間周波数成分および高周波数成分に分解し
前記
高周波数成分を強調するとともに、前記中間周波数成分を抑制する強調抑制処理を行い
該
処理後の各周波数成分および前記低周波数成分を合成して処理済画像信号を得る
（中略）
【請求項１０】　所定の画像を表す画像信号に対して処理を施す画像処理装置において、
　前記
画像信号を低周波数成分、中間周波数成分および高周波数成分に分解する
　前記
高周波数成分を強調するとともに、前記中間周波数成分を抑制する強調抑制処理を行う
　該
処理後の各周波数成分および前記低周波数成分を合成して処理済画像信号を得る
　なお、下線は審決において附された。以下同様。
　
（イ）「【００１１】
【課題を解決するための手段】本発明による画像処理方法および装置は、所定の画像を表す画像信号に対して処理を施す画像処理方法および装置において、前記
画像信号を低周波数成分、中間周波数成分および高周波数成分に分解し、前記高周波数成分を強調するとともに、前記中間周波数成分を抑制する強調抑制処理を行い、該処理後の各周波数成分および前記低周波数成分を合成して処理済画像信号を得る
【００１２】ここで、
画像信号の低周波数成分・中間周波数成分・高周波数成分とは
中間周波数成分とは
低周波数成分とは
【００１３】また、上記画像処理方法および装置においては、
前記分解後、前記高周波数成分および前記中間周波数成分から輝度成分を抽出し、該輝度成分にのみ基づいて前記強調抑制処理および前記合成を行うことが好ましい
【００１４】さらに、上記画像処理方法および装置においては、前記
所定の画像における特定色領域を抽出し、該特定色領域に対応する前記中間周波数成分をさらに抑制して前記強調抑制処理を行うことが好ましい
【００１５】また、上記画像処理方法および装置においては、前記
分解後、前記中間周波数成分および／または前記高周波数成分の評価値を求め、該評価値が所定の閾値より小さい画素に対する前記中間周波数成分を該評価値が該所定の閾値より大きい画素に対する前記中間周波数成分よりも大きく抑制して前記強調抑制処理を行うことが好ましい
この場合は前記評価値が所定の閾値より小さい画素に対する前記高周波数成分を該評価値が該所定の閾値より大きい画素に対する前記高周波数成分よりも小さく強調して前記強調抑制処理を行うことが好ましい
【００１６】ここで、
評価値とは
画像信号の周波数成分の局所分散などの値のことをいう
【００１７】さらに、前記評価値が、前記中間周波数成分および／または前記高周波数成分のＲＧＢ３色のうちの２色からなる少なくとも１組の色間における、相対応する画素についての相関値であることが好ましい。
【００１８】また、前記評価値をメディアンフィルタによりフィルタリング処理した後、該処理がなされた
評価値に基づいて前記所定の閾値に基づいて前記強調抑制処理を行ってもよく
【００１９】さらに、前記
強調抑制処理の強調および抑制の程度を、前記処理済画像信号を再生する際の再生条件に基づいて予め定められた複数の強調抑制処理条件から選択することにより定めることが好ましい
【００２０】ここで、再生条件とは、ネガフイルムあるいはリバーサルフイルム等の原稿種、出力されるプリントのサイズ、またはオペレータが好みの画像処理となるように入力するキー補正等画像が再生される際に影響を受ける条件のことをいう。
【００２１】
【発明の効果】一般的な画像を表す画像信号においては、再生画像の鮮鋭度に影響を及ぼす成分は画像信号の高周波数成分であり、再生画像にざらつきとなって現れるフイルム粒状は中間周波数成分に多く含まれているものである。本発明はこの点に着目してなされたものである。
【００２２】すなわち、
本発明による画像処理方法および装置は、画像信号を低周波数成分、中間周波数成分および高周波数成分に分解し、高周波数成分を強調するとともに、中間周波数成分を抑制するようにした
処理後の各周波数成分と低周波数成分とを合成して処理済画像信号を得るようにすれば、この処理済画像信号を再生することにより得られる再生画像は
画質が良好な再生画像を得ることができる
【００２３】また、カラー画像信号の中間・高周波数成分のＲＧＢ３色をＹＩＱ基底に変換した場合、色成分であるＩ成分およびＱ成分は通常の被写体では殆ど成分を持たないものであるため、Ｉ成分およびＱ成分はフイルム粒状に起因する色のざらつきとみなすことができる。したがって、
画像信号から分解された高周波数成分および中間周波数成分の輝度成分であるＹ成分にのみ基づいて強調抑制処理および合成を行うことにより
さらに画質の良好な再生画像を得ることができる
【００２４】さらに、カラー画像の場合は
肌色、空色等の特定の色
画像からこの特定の色領域を抽出し、この特定色領域に対応する中間周波数成分をさらに抑制する
【００２５】また、フイルム粒状に起因するざらつきが目立つ
略一様な画像信号領域（以下平坦部とする）においては
局所分散値は低くなる
画像のエッジやテクスチャ等の部分に対応する画像信号領域においては
画像信号の局所分散値も大きくなる
局所分散値などの評価値が、所定の閾値より小さい場合、その評価値が得られた画素は平坦部にあるとみなして、その画素についてのみ他の画素と比較して中間周波数成分を大きく抑制する
【００２６】また、上記
評価値が所定の閾値より小さい場合、その評価値が得られた画素について他の画素と比較して高周波数成分の強調度を小さくする
【００２７】一方、カラー画像信号の中間周波数成分および／または高周波数成分をＲＧＢの３色に分けた場合、
各色間において相関をとると
略一様な画像信号領域（以下平坦部とする）においては、信号値は色に拘らずランダムに変化するため、相関値は低くなる。また、画像のエッジやテクスチャ等の部分に対応する画像信号領域においては、各色間において略同一の信号値となるため、相関値は大きくなる
【００２８】さらに、上述した評価値を算出した際に、画像中の粒状成分とエッジ成分とを明確に分離することは不可能である。このため、強調抑制処理を行うことにより、評価値の比較的大きな粒状成分は強調され、評価値の比較的小さな粒状成分は抑制されることとなる。ところで、評価値の大きな粒状成分は、信号の振幅も大きいため、大きな粒状だけが空間的に疎となって残ってしまう。したがって、評価値をメディアンフィルタによりフィルタリング処理することにより、評価値の局所的なノイズを除去して評価値の分布の幅を小さくすることができるため、平坦部と見なせる中間周波数成分とエッジ部と見なせる高周波数成分との分離が明確となり、これにより粒状が空間的に疎となることを防止することができる。
【００２９】また、
強調抑制処理が施される高周波数成分と、評価値とをＲＧＢ３色の色のうちの異なる色に基づいて求めることにより、統計的に独立のものから中間周波数成分および／または高周波数成分と評価値とを算出する
【００３０】さらに、強調抑制処理の程度は、再生条件に応じて処理を行うごとに算出するようにしてもよいが、このようにすると強調抑制処理の程度を算出するためのアルゴリズムが複雑となり、また算出するための装置の構成が複雑なものとなってしまう。したがって、
予め再生条件に応じた強調抑制処理条件を持っておき、再生処理条件に応じて複数の条件の中から所定の強調処理条件を選択することにより、装置の構成を簡易なものとする
　
（ウ）「【００３１】
【発明の実施の形態】以下図面を参照して本発明の実施の形態について説明する。
【００３２】図１は本発明による画像処理装置を内包したカラー写真から画像を読み取って記録材料に画像を形成するようにしたシステムのブロック図である。図１に示すように本発明による画像処理装置を内包したシステムは、カラー写真から画像を読み取る
読取手段１
画像処理手段２
再生手段３
【００３３】
読取手段１
【００３４】
画像処理手段２
【００３５】さらに、
再生手段３
【００３６】以下、各手段の作用について説明する。
【００３７】まず、読取手段１によりネガフイルムあるいはリバーサルフイルム等のカラー画像４から粗めの走査間隔によりカラー画像４の概略を読み取るプレスキャンを行う。このプレスキャンにより得られた３色のプレスキャンデータＳP は、Ａ／Ｄ変換手段７によりデジタルデータに変換され、ＣＣＤ補正手段８により補正がなされて対数変換手段９により対数増幅されて画像処理手段２のオートセットアップ演算部10およびモニタ表示アンドユーザインターフェイス（以下インターフェイスとする）12に入力される。インターフェイス12に入力されたプレスキャンデータＳP はＣＲＴ11に可視像として表示され、ＣＲＴ11上に可視像とは別に表示された鮮鋭度処理メニュー11Ａをユーザが選択することによりこの選択した結果を表す信号Ｓ1 がインターフェイス12に入力され、さらにこの信号Ｓ1 はオートセットアップ演算部10に入力される。オートセットアップ演算部10においては、プレスキャンデータおよび信号Ｓ1 に基づいて、後に色・階調処理手段14により行われる色・階調処理のためのパラメータが設定される。また、このパラメータの一部は後述する処理手段13に入力される。
【００３８】ここで、パラメータ設定の詳細について説明する。オートセットアップ演算部10においては入力されたプレスキャンデータＳP に基づいてカラー画像４の濃度域およびプリントサイズが求められ、さらにＣＲＴ11からインターフェイス12を経由して入力された
信号Ｓ
1
 に基づいて後述する処理手段13において行われる強調抑制処理において中間周波数成分に乗じられるゲインＭおよび高周波数成分に乗じられるゲインＨが求められる
【００３９】次いで読取手段１においては、カラー画像４を細かい走査間隔で読み取るファインスキャンが行われ、３色のファインスキャンデータＳF がカラー画像信号として得られる。
ファインスキャンデータＳ
F
 はＡ／Ｄ変換手段７によりデジタルデータに変換され
【００４０】図２は
処理手段13
ローパスフィルタ20によりフィルタリング処理が施され、ファインスキャンデータＳ
F
（ＲＧＢ）の低周波数成分Ｒ
L
 ，Ｇ
L
 ，Ｂ
L
 が抽出される
【００４１】
【数１】
 
  ｜　　１　　　４　　　６　　　４　　１　　|
  ｜　　４　　１６　　２４　　１６　２４　　|
  ｜　　６　　２４　　３６　　２４　　６　　|
  ｜　　４　　１６　　２４　　１６　　４　　|
  ｜　　１　　　４　　　６　　　４　　１　　|
  
【００４２】そして
ファインスキャンデータＳ
F
 から低周波数成分Ｒ
L
 
Ｇ
L
 ，Ｂ
L
 を減算して中間・高周波数成分Ｒ
MH
，Ｇ
MH
，Ｂ
MH
を抽出する
低周波数成分Ｒ
L
 ，Ｇ
L
 ，Ｂ
L
中間周波数成分Ｒ
M
 ，Ｇ
M
 ，Ｂ
M
高周波数成分Ｒ
H
 ，Ｇ
H
 ，Ｂ
H
 はカラー画像中のエッジや細かいテクスチャを含む
【００４３】ここで、ファインスキャンデータの低周波数成分、中間周波数成分および高周波数成分とは、図３に示すように分布される後述する中間・高周波数成分に乗じるゲインＭ，Ｈを1.0 とした場合の周波数成分のことをいうものであり、
中間周波数成分Ｒ
M
 ，Ｇ
M
 ，Ｂ
M
 は
低周波数成分Ｒ
L
 ，Ｇ
L
 ，Ｂ
L
 とは
高周波数成分Ｒ
H
 ，Ｇ
H
 ，Ｂ
H
 とは
【００４４】次いで
分解された中間・高周波数成分Ｒ
MH
，Ｇ
MH
，Ｂ
MH
から輝度成分が抽出される
【００４５】
【数２】
　I=0.60R  -0.28G  -0.32B
　Q=0.21R  -0.52G  +0.31B
　Y=0.30R  +0.59G  +0.11B
【００４６】により行う。
【００４７】ＹＩＱ基底に変換後の色成分である成分ＩMHおよび成分ＱMHはフイルム粒状に起因する色のざらつきを含むものであるため、成分ＩMHおよび成分ＱMHはここでは０とおいてフイルム粒状に起因する色のざらつきを抑制する。ここで、色成分である成分ＩMHおよび成分ＱMHは一般の被写体を写した画像の場合は殆ど成分を持たないことが経験的に分かっている。したがって、成分ＩMHおよび成分ＱMHはフイルム粒状に起因する色のざらつきとみなして０とおくことにより、ざらつきを抑制した良好な再生画像を得ることができる。
【００４８】次いで成分ＹMHに対してゲイン処理部21において上述した５×５の
ローパスフィルタ20によりフィルタリング処理を施して、成分Ｙ
MH
の中間周波数成分Ｙ
M
 を得る
成分Ｙ
MH
から中間周波数成分Ｙ
M
 を減算することにより成分Ｙ
MH
の高周波数成分Ｙ
H
 を得る
【００４９】次いで、前述したオートセットアップ演算部10において
求められたゲインＭおよびゲインＨが以下の式（１）に示すようにそれぞれ成分Ｙ
M
 ，Ｙ
H
 に乗じられて処理済成分Ｙ
M
 ′，Ｙ
H
 ′が得られ、さらに処理済成分Ｙ
M
 ′，Ｙ
H
 ′が合成されて成分Ｙ
MH
′が得られる
【００５０】
　ＹMH′＝ゲインＭ´ＹM ＋ゲインＨ´ＹH 　　　　　　　　　　…(1)
　（ＹM ′＝ゲインＭ´ＹM ，ＹH ′＝ゲインＨ´ＹH ）
ここで、ゲインＭとゲインＨとはオートセットアップ演算部10において、ゲインＭ＜ゲインＨとなるように設定される。すなわち、フイルム粒状に基づく輝度成分のざらつきは中間周波数成分に比較的多く含まれているため、
成分Ｙ
M
 のゲインＭを比較的低く設定する
輝度成分の高周波数成分Ｙ
H
 のゲインＨを比較的大きくする
【００５１】ここで、オートセットアップ演算部10においては、例えば、カラー画像４がアンダーネガの場合は、フイルム粒状に起因するざらつきが目立つうえに、階調特性を改善するために階調を立てた場合に粒状がかなり悪い画像となってしまうため、ゲインＭがかなり低く設定される。そしてこれにより、粒状を強く抑制することができる。また、プリントサイズに依存しても最適なゲインＭおよびゲインＨが設定される。さらに、前述したようにユーザがいくつかの鮮鋭度強調
処理メニューから所望とするメニューを選択する場合には、このメニューに応じたゲインＭおよびゲインＨをテーブルとして記憶しておき、メニュー選択に応じて最適なゲインＭおよびゲインＨを選択できるようにしておくことが好ましい
これにより、画像ごとにあるいはユーザの好みに応じた処理を行うことができる
【００５２】そしてこのようにして
得られた成分Ｙ
MH
′を前述したファインスキャンデータＳ
F
 の低周波数成分Ｒ
L
 ，Ｇ
L
 ，Ｂ
L
 と合成して処理済信号Ｒ′，Ｇ′，Ｂ′を得る
したがって、処理された輝度成分Ｙ
MH
′を逆変換しなくても合成した結果は、逆変換した場合と同一となる
【００５３】その後処理済信号Ｒ′，Ｇ′，Ｂ′は再生手段３に入力され、プリンタ15により記録材料16に可視像として再生される。
【００５４】このようにして再生された画像は、フイルム粒状に起因するざらつきを含むデータの中間・高周波数成分の色成分が０とされており、さらに、
中間・高周波数成分の輝度成分のうち中間周波数成分Ｙ
M
 のゲインＭが抑制され、高周波数成分Ｙ
H
 のゲインＨが強調されている
（エ）「【００５５】次いで、本発明の第２実施の形態について説明する。
【００５６】図４は本発明の第２実施の形態による画像処理装置の処理手段13において行われる処理の詳細を説明するためのブロック図である。図４に示すように本発明の第２の実施の形態による画像処理装置の処理手段13は、図２に示す処理手段に特定色抽出ゲイン算出手段23を備えてなるものである。この
特定色抽出ゲイン算出手段23においては、カラー画像４から特定色部分を抽出し、この部分についてのみ前述した輝度成分Ｙ
MH
に乗じるゲインＭおよびゲインＨの値を変化させる
【００５７】そしてこのようにして抽出された成分ＹL ，ＩL ，ＱL のうち、
成分Ｉ
L
 および成分Ｑ
L
 を用いて特定色の検出を行う
この肌色検出は図７に示すように色成分である成分Ｑ
L
 と成分Ｉ
L
 とをそれぞれ横軸、縦軸にとったＱＩ平面において色相角θとなる色を中心とした所定範囲（図の斜線部分）の信号値を有するとともに、所定の閾値よりも大きい信号値を有する画素を肌色の領域として検出する
【００５８】そしてこのようにして
肌色の領域が検出された後、この肌色領域に対するゲインＭおよびゲインＨの値を変化させる
びゲインＨ（θ）を以下の式(2) に示す。
【００５９】
　ゲインＭ(q)＝ゲインＭh−Ｗ(q)・(ゲインＭh−ゲインＭl)
　ゲインＨ(q)＝ゲインＨh−Ｗ(q)・(ゲインＨh−ゲインＨl）　　…(2)
但し、ゲインＭh ，ゲインＨh ：ゲインＭ，Ｈの最高値
　　　ゲインＭl ，ゲインＨl ：ゲインＭ，Ｈの最低値
式(2) により、図８(b) に示すように肌色領域に対応するゲインＭ，Ｈの値は他の色領域のゲインＭ，Ｈと比較して小さく設定される
【００６０】このようにしてゲインＭ（θ）およびゲインＨ（θ）を求めた後、この
ゲインＭ（θ）およびゲインＨ（θ）に基づいて前述した輝度成分Ｙ
MH
の中間周波数成分Ｙ
M
 および高周波数成分Ｙ
H
 にゲインを乗じる。そしてゲインを乗じた中間周波数成分Ｙ
M
 ′および高周波数成分Ｙ
H
 ′を合成して処理済輝度成分ＹM
H
′を得、さらに低周波数成分Ｒ
L
 ，Ｇ
L
 ，Ｂ
L
 と合成して処理済画像信号Ｒ′，Ｇ′，Ｂ′を得る
【００６１】
このように画像から特定色領域を検出してその領域について乗じるゲインを変化させることにより
肌色の領域の
高画質の再生画像を得ることができる
【００６２】なお、上述した本発明の第２実施の形態においては肌色の領域の検出について説明したが、カラー画像においては空色の領域におけるざらつきも比較的目立つため、空色領域についてゲインＭ，Ｈを変化させる処理を施すようにしてもよい。なお、空色はＱＩ平面において、図７の破線斜線部に示す部分となる。」
　
（オ）「【００６３】次いで本発明による画像処理装置の第３実施の形態について説明する。
【００６４】図９は本発明の第３実施の形態による画像処理装置の処理手段13において行われる処理の詳細を説明するためのブロック図である。図９に示すように本発明の第３実施の形態による画像処理装置の処理手段13は、図２に示す処理手段13にＲＧＢ３色間の相関値を算出する相関値算出手段30を備えてなるものである。この相関値算出手段30においては、ファインスキャンデータＳF の中間・高周波数成分ＲMH，ＧMH，ＢMHの各色間の相関値εが算出され、この
算出されたεに基づいてルックアップテーブル31を参照してゲインＭの値が求められる
相関値εの算出
【００６５】一般に、確率変数Ｘ，Ｙの相互相関は、
　Ｅ｛（Ｘ−Ｘm ）・（Ｙ−Ｙm ）｝
　Ｘm ，Ｙm ：平均値
で表され、図10に示すように３通りに分類することができる。すなわち、図10(a) に示すように、
　Ｅ｛（Ｘ−Ｘm ）・（Ｙ−Ｙm ）｝＝０
の場合はＸとＹとには相関関係がなく、図10(b) に示すように，
　Ｅ｛（Ｘ−Ｘm ）・（Ｙ−Ｙm ）｝＞０
であり、絶対値が大きい場合は、ＸとＹとの相関は大きく、さらに図10(c) に示すように、
　Ｅ｛（Ｘ−Ｘm ）・（Ｙ−Ｙm ）｝＜０
であり、絶対値が大きい場合は、ＸとＹとの相関は大きなものとなる。
【００６６】相関値にはこのような関係があることを前提として、中間・高周波数成分ＲMH，ＧMH，ＢMHの各色間の相関値εRG，εGB，εBRを下記の式(3) により求める。
【００６７】
【数４】
　eRG=1/(2m+1)2Σ(i=-m)(i=m)Σ(j=-m)(j=m)RMHi,j GMHi,j  
　eGB=1/(2m+1)2Σ(i=-m)(i=m)Σ(j=-m)(j=m)GMHi,j BMHi,j  
　eBR=1/(2m+1)2Σ(i=-m)(i=m)Σ(j=-m)(j=m)BMHi,j RMHi,j                  　 ...（３）
【００６８】但し、εRG：ＲＧ間の相関値
εGB：ＧＢ間の相関値
εBR：ＢＲ間の相関値
ｍ：相関値を求めるためのマスクの大きさ
（ｍ＝１，２，３，４程度）
なお、ここでは、中間・高周波数成分ＲMH，ＧMH，ＢMHの平均値を求めると略０となるため、各信号値から平均値を減算することを省略することができる。
【００６９】ここで、各色間の相関値を求めると以下のようになる。すなわち図11に示すように成分ＲMHと成分ＧMHとの相関値を求めてみると、フイルム粒状に起因するノイズが多い平坦部33は、各成分とも信号がランダムに現れるため、相関値は略０となる。また、エッジ部分34は各成分とも同様に信号が現れるため、相関値は大きな値となる。また、前述した図10(c) に示すように相関値が負となる場合は図12に示すような信号間の相関であり、画像信号のエッジでは有り得ないため、本発明の実施の形態においてはこの場合は０とみなす。したがって、
各相関値ε
RG
，ε
GB
，ε
BR
が所定の閾値より小さい値であった場合
平坦部であり
相関値が所定の閾値より大きい場合は
エッジ部であるとみなすことができる
【００７０】次いで、前述した式(3) において、ｍ＝１とした場合の各相関値εRG，εGB，εBRの算出およびゲインの算出の詳細について説明する。図13に示すように、まず成分ＲMH，ＧMH，ＢMHの相関値が求められる。なお図13においてはテーブル36を参照して、相関値εRG，εGB，εBRが負となった場合に相関値を０としている。中間・高周波数成分ＲMH，ＧMH，ＢMHの成分ＲMH、成分ＧMHおよび成分ＢMHの上記式(3) においてｍ＝１とした場合のそれぞれの信号間の相関値は以下の式(4) によって求められる。
【００７１】
【数５】
　eRG=1/3´3Σ(i=-1)(i=1)Σ(j=-1)(j=1)RMHi,j GMHi,j  　
　　eRG＜0　ならば　eRG=0
  eGB=1/3´3Σ(i=-1)(i=1)Σ(j=-1)(j=1)GMHi,j BMHi,j  　
　　eGB＜0　ならば　eGB=0
  eBR=1/3´3Σ(i=-1)(i=1)Σ(j=-1)(j=1)BMHi,j RMHi,j 
　　eBR＜0　ならば　eBR=0　　　　　　　　　　　　　　　　　　…(4)
【００７２】そしてこの式(4) により求められた相関値εRG，εGB，εBRを以下の式(5) により加算する。
【００７３】
　ε＝εRG＋εGB＋εBR　　　　　　　　　　　　　　　　　　　…(5) 
　
そしてこのようにして求められたεから、図14(a) ，(b) に示すようなルックアップテーブルを参照して各画素の相関値に応じたゲインＭの値を求める。すなわち、相関値εが所定の閾値Ｔh より小さいときはゲインＭの値を小さくし、相関値εが閾値Ｔh より大きいときはゲインＭの値を大きくするものである。そしてこのようにして求められたゲインＭを前述した中間・高周波数成分Ｒ
MH
，Ｇ
MH
，Ｂ
MH
の輝度成分Ｙ
MH
の中間周波数成分Ｙ
M
 に乗じ、そしてゲインＭが乗じられた中間周波数成分Ｙ
M
 ′とゲインＨが乗じられた高周波数成分Ｙ
H
 ′とを合成し、そしてファインスキャンデータＳ
F
 の低周波数成分Ｒ
L
 ，Ｇ
L
 ，Ｂ
L
 と合成して処理済画像信号Ｒ′，Ｇ′，Ｂ′を得る
【００７４】このように
信号間の各色Ｒ，Ｇ，Ｂの相関値εを算出して、その相関値εに応じてゲインＭの値を変化させることにより
高画質の再生画像を得る
【００７５】以下、本実施の形態による相関値に応じてゲインを変化させる方法と、
特表平3-502975号に記載された分散に応じてゲインを変化させる方法
【００７６】特表平3-502975号に記載された方法は、画像のフイルム粒状に起因する雑音が多い
平坦部
エッジ部分についての出現数に対してプロットした局所分散値を求め
係数Ｋをこの
所分散値の関数として設定する方法である
平坦部の画像信号の局所分散値σ
N
にのみ着目する
分散σ
Na
σ
Nb
，σ
Nc
の値は変化してしまう
【００７７】これに対し、
相関値の分布は図17に示すように分散の分布と類似したものとなる
分散に基づいてゲインを求める
【００７８】なお上述した本発明の第３の実施の形態においては、中間・高周波数成分ＲMH，ＧMH，ＢMHの各色間の相関値εに基づいて輝度成分ＹMHの中間周波数成分ＹM に乗じるゲインＭの値を変化させるようにしているが、この
相関値に基づいて輝度成分Ｙ
MH
の高周波数成分Ｙ
H
 に乗じるゲインＨの値を変化させるようにしてもよい。すなわち、図20に示すようにゲインＨ用のルックアップテーブル32をさらに設け、各色間の相関値εが所定の閾値より小さい場合に、その相関値が得られた画素について、他の画素と比較して高周波数成分の強調の度合を小さくする
【００７９】また、上述した本発明の第３の実施の形態においては、各色間の相関値εRG，εGB，εBRの和の相関値εに基づいてゲインＭ，Ｈを変化させるようにしているが、多少精度は劣るものの各色間の相関値εRG，εGB，εBRのうちのいずれか１つあるいは２つの相関値の和に基づいてゲインＭ，Ｈを変化させるようにしてもよいものである。これにより、相関値の計算を簡略化することができ、処理装置の規模を縮小することができる。
【００８０】なお、上述した実施の形態においては、中間・高周波数成分ＲMH，ＧMH，ＢMHをＹＩＱ基底に変換してゲイン処理を行うようにしているが、ＹＩＱ基底に変換する必要はなく、
中間・高周波数成分Ｒ
MH
，Ｇ
MH
，Ｂ
MH
を中間周波数成分Ｒ
M
 ，Ｇ
M
 ，Ｂ
M
 および高周波数成分Ｒ
H
 ，Ｇ
H
 ，Ｂ
H
 に分解し、各成分をＹＩＱ基底に変換することなくゲイン処理を施すようにしてもよい
【００８１】また、上述した本発明の第３の実施の形態においては、相関値εに基づいてゲインＭ，Ｈを変化させるようにしているため、
分散に基づいてゲインを求める場合と比較して、平坦部、テクスチャ、エッジの分離が容易となるため、より画像の領域の色に応じたゲインを求めることができる
分布の幅を小さくすることができるため、平坦部とエッジ部との分離が明確となり
【００８２】また、図22に示す実施の形態の場合、相関値のメディアンフィルタにより相関値の分布の幅を小さくすることができるため、
相関値のみでなく、特表平3-502975号に記載された分散値を用いても、分散値の分布を小さくすることができ、これにより相関値を用いた場合と同様に、これにより平坦部とエッジ部とが重なる部分において不要な処理が施されることを防止
【００８３】さらに、上述した第３の実施の形態においては、平坦部とエッジ部との分布の分離を向上させるために、ゲインが設定される中間周波数成分ＹM および／または高周波数成分ＹH と相関値とをＲＧＢの３色の色のうち、異なる色に基づいて求めるようにしてもよい。例えば、下記の式(6) ，(7) に示すように、輝度成分の中間・高周波数成分ＹMHについては、緑の中間・高周波数成分ＧMHに基づいて求め、相関値については、赤と青の中間・高周波数成分ＲMH，ＢMHの相関値εBR算出し、この相関値εBRを用いるようにしてもよい。
【００８４】
　ＹMH＝ＧMH　　　　　　　　　　　　　　　　 　　　　 　 　(6)
　εBR＝Ｅ（ＲMH・ＢMH）　　　　　　　　　　　　　　　　 　(7)
このように、
強調抑制処理が施される中間周波数成分Ｙ
M
 および／または高周波数成分Ｙ
H
 と、相関値ε
BR
とをＲＧＢ３色の色のうちの異なる色に基づいて求めることにより、統計的に独立なものから中間・高周波数成分Ｙ
MH
と相関値ε
BR
とを算出することとなるため、互いの分布のばらつきも相互に異なるものとなる
【００８５】また、この場合
相関値のみではなく、上述した特表平3-502975号に記載された分散値を用いても、分散値と高周波数成分との分布を互いに影響されることがないものとすることができるため、これにより相関値を用いた場合と同様に、これにより平坦部とエッジ部とが重なる部分において不要な処理が施されることを防止
分散値
【００８６】
　σ2＝σRH2＋σBH2 　　　　　　　　　　　　　　　　　　　　　(8)
　但し、σRH　
赤の高周波数成分の分散値
青の高周波数成分の分散値
強調抑制処理の程度を算出するためのアルゴリズム
予め再生条件に応じた強調抑制処理条件を中間周波数成分および高周波数成分ごとにメモリ42，43に記憶しておき、再生条件入力手段41から原稿種、出力プリントサイズ、補正量などの再生条件を入力し、これによりメモリ42，43に記憶された強調抑制処理条件の中から所定の強調処理条件を選択して、強調抑制処理を行うことにより、装置の構成を簡易なものとするとともに、処理時間を短縮することができる
【００８７】以上詳細に説明したように、
本発明による画像処理方法および装置は、画像信号を低・中間・高周波数成分に分解し
中間周波数成分を抑制し、エッジ
テクスチャ等を含む高周波数成分を強調するようにしたため
画質が良好な再生画像を得ることができる
　
　以上の記載からみて、引用例１には、次のような発明が記載されているものと認められる。
　「所定の画像を表す画像信号に対して処理を施す画像処理装置において、
　前記画像信号を低周波数成分、中間周波数成分および高周波数成分に分解する分解手段と、
　前記高周波数成分を強調するとともに、前記中間周波数成分を抑制する強調抑制処理を行う強調抑制処理手段と、
　該処理後の各周波数成分および前記低周波数成分を合成して処理済画像信号を得る合成手段とを備えたことを特徴とする画像処理装置。」
　
（３）対比
　本願補正発明と引用例１に記載された発明を対比すると、引用例１に記載された発明の「分解手段」は、本願補正発明の「主要成分生成手段」に相当し、引用例１に記載された発明の「強調抑制処理手段」は、本願補正発明の「変調手段」に相当し、引用例１に記載された発明の「合成手段」は、本願補正発明の「合成手段」に相当し、引用例１に記載された発明の「ゲイン処理部」は、本願補正発明の「強度計算手段」に相当することは、明らかである。また、引用例１に記載された発明の「強調」は、本願補正発明の「強調」に相当し、引用例１に記載された発明の「抑制」は、本願補正発明の「弱調」に相当することも、明らかである。
　
　そして、引用例１には、デジタル画像信号を、各画素毎に低周波成分、中間周波成分、及び高周波成分に分解する分解手段（主要成分生成手段に相当）と、
　高周波成分を強調すると共に中間周波成分を抑制する強調抑制処理手段（変調手段に相当）と、
　強調抑制処理後の中間周波成分及び高周波成分そして低周波成分とを合成する合成手段（合成手段に相当）とを備えた画像処理装置であって、
　中間周波成分及び高周波成分の強調抑制強度を計算するゲイン処理部（強度計算手段に相当）を備え、前記強調抑制処理手段（変調手段に相当）は、前記ゲイン処理部（強度計算手段に相当）で計算された強度で中間周波成分及び高周波成分を強調または抑制するように処理する画像処理装置が記載されている（前掲（ア）〜（オ）参照。）から、本願補正発明と引用例１に記載された発明とは、
　「デジタル画像の低周波成分および中周波・高周波成分を、デジタル画像の各画素ごとに生成する主要成分生成手段と、
　上記中周波・高周波成分を変調する変調手段と、
　変調された中周波・高周波成分と上記元の低周波成分とを合成する合成手段とを備えた画像処理装置であって、
　上記中周波・高周波成分の変調強度を計算する強度計算手段を備え、上記変調手段は、上記変調強度で上記中周波・高周波成分を変調する画像処理装置。」
である点で差異はない。
　
　そうすると、本願補正発明と引用例１に記載された発明とは、
（一致点）
　「デジタル画像の低周波成分および中周波・高周波成分を、デジタル画像の各画素ごとに生成する主要成分生成手段と、
　上記中周波・高周波成分を変調する変調手段と、
　変調された中周波・高周波成分と上記元の低周波成分とを合成する合成手段とを備えた画像処理装置であって、
　上記中周波・高周波成分の変調強度を計算する強度計算手段を備え、上記変調手段は、上記変調強度で上記中周波・高周波成分を変調する画像処理装置。」
である点で一致し、次の各点で相違する。
　
（相違点１）
　本願補正発明の強度計算手段は、中周波・高周波成分の最適コントラストまたは最適彩度に対応する変調強度を計算しているのに対して、
　引用例１に記載された発明のゲイン処理部は、フィルム粒状に基づくざらつきを抑制しつつ画像の鮮鋭度を高めるために中周波・高周波成分の強調抑制強度（変調強度）を計算している点。
　
（相違点２）
　本願補正発明の変調手段は、中周波・高周波成分を強調または弱調しているのに対して、引用例１に記載された発明の強調抑制処理手段（変調手段）は、中周波を抑制（弱調）し高周波を強調している点。
　
（４）判断
（相違点１について）
　上記相違点１について判断する前に、本願補正発明の「中周波・高周波成分の最適コントラストまたは最適彩度に対応する変調強度を計算する」という技術的意味について考察してみるに、本願明細書には、ヒストグラムの分散が予め入力されている分散となるように変調強度を計算する、すなわち特定の高周波画像のみを強調するように変調強度を計算すると記載されている（本願明細書の段落【０１１４】〜【０１１７】における記載参照）。しかしながら、本願特許請求の範囲の請求項（１）には、分散が望みのものとなるように変調強度を計算する具体的構成については全く記載がないから、本願補正発明の特許請求の範囲の請求項（１）に記載された「中周波・高周波成分の最適コントラストまたは最適彩度に対応する変調強度を計算する」は、特定の高周波成分のみを強調する変調強度を計算することであると解される。
　上記相違点１について判断するに、
(i)先ず、特定の周波数帯域の成分を適切な強度で強調することにより最適なコントラストを得ることは、原審が拒絶の理由に引用した特開平９−１６１０６１号公報（特に、段落【００２５】の記載を参照のこと。）にその旨の記載があるとおり当業者には周知な技術常識である。
(ii)次に、引用例１には、局所分散値を算出し該局所分散値に基づいて特定の高周波成分の変調強度を計算しこの変調強度で特定の高周波成分を強調することが記載されており（前掲（イ）の段落【００１５】〜【００１９】、前掲（イ）の段落【００２５】〜【００３０】、前掲（オ）を参照のこと。）、また同引用例１には、特定色（例えば、肌色）の領域を検出しこの領域の特定色に係わる周波数成分を強調し、この領域（肌色領域）の彩度を最適なものとすることが記載されている（前掲（エ）を参照のこと。）。
(iii)そして、ヒストグラムから分散を求めることは、原審が拒絶の理由に引用した特開平７−３３４６１６号公報にその旨の記載があるとおり、当業者には周知な技術事項である。
　以上のことを踏まえると、引用例１に記載された発明に特定の周波数帯域を強調する上記周知技術を適用することにより、本願補正発明の如く、中周波・高周波成分の最適コントラストまたは最適彩度に対応する変調強度を計算するようにすることは、当業者が適宜なし得ることである。
　
（相違点２について）
　上記相違点２について判断するに、一般に望みの帯域の周波数成分を通過又は遮断し、また同帯域の周波数成分を強調もしくは抑制する技術は、フィルタ理論に関するハンドブック等にその旨の記載と各種のフィルタ回路の開示があるように当業者には周知な技術事項であり、しかも相違点１についての判断の項で述べたように、中域及び高域を遮断し低域を通過させるフィルタ技術、中域を抑制し高域を強調するフィルタ技術、及び特定の周波数帯域の成分を強調するフィルタ技術は当業者には周知であるから、本願補正発明の如く、中周波・高周波成分を強調または弱調するようにすることは、当業者が適宜なし得る技術常識の範囲内のことである。
　
（５）むすび
　以上のとおり、本願補正発明は、引用例１に記載された発明及び周知技術に基づいて当業者が容易に発明をすることができたものであるから、特許法第２９条第２項の規定により特許出願の際、独立して特許を受けることができるものではなく、特許法第１７条の２第５項で準用する同法１２６条第５項の規定に違反するものであるから、平成１６年７月２６日付けの手続補正は、特許法第１５９条第１項で準用する同法第５３条第１項の規定により却下すべきものである。
　
３．本願発明について
　平成１６年７月２６日付けの手続補正は、前記のとおり却下されるから、本願の特許請求の範囲の請求項１に係る発明（以下、「本願発明」という。）は、出願当初の明細書の特許請求の範囲の請求項１に記載された次のとおりのものである。
　
　「【請求項１】　デジタル画像の低周波成分および中周波・高周波成分を、デジタル画像の各画素ごとに生成する主要成分生成手段と、
　上記中周波・高周波成分を変調する変調手段と、
　変調された中周波・高周波成分と上記元の低周波成分とを合成する合成手段とを備えた画像処理装置であって、
　上記中周波・高周波成分の最適コントラストまたは最適彩度に対応する変調強度を計算する強度計算手段を備え、上記変調手段は、上記変調強度で上記中周波・高周波成分を変調することを特徴とする画像処理装置。」
　
（１）引用例
　原審の拒絶の理由で引用された引用例及びその記載事項は、前記「２．（２）」項に記載したとおりである。
　
（２）対比・判断
　本願発明は、前記「２．（３）」項及び「２．（４）」項で検討した本願補正発明からその限定事項である「強調または弱調するように」を省いたものである。
　そうすると、本願発明を特定する事項をすべて含み、更に他の特定する事項を付加したものに相当する本願補正発明が、前記「２．（４）」項に記載したとおり、引用例１に記載された発明及び周知技術とに基づいて当業者が容易に発明をすることができたものであるから、本願発明も、同様の理由により、引用例１に記載された発明及び周知技術とに基づいて当業者が容易に発明をすることができたものである。
　
（３）むすび
　以上のとおり、本願発明は、引用例１に記載された発明及び周知技術に基づいて当業者が容易に発明をすることができたものであり、特許法第２９条第２項の規定により特許を受けることができないものであるから、他の請求項について検討するまでもなく、本願は拒絶されるべきものである。
　よって、結論のとおり審決する。